(57)【要約】【課題】ユーザーの手の大小にかかわらず、手の幅、厚み方向の動きを規制でき、甲当てベルトは撮像装置を持ち替えることなく簡単な調整でリストストラップとして使用することができる甲当てベルト付き撮像装置の提供。【解決手段】カメラ本体部と、上記カメラ本体部の外装部分に甲当てベルトの一端部を固定する固定部と、上記固定部に一端部を固定された甲当てベルトと、上記甲当てベルトの他端部に設けられた取付部と、上記取付部が摺動可能に結合された結合部とを備え、上記取付部は上記結合部に従って上記固定部の方向と上記固定部に反する方向へ移動可能であり、上記甲当てベルトはリストストラップとなるように、上記取付部を上記固定部まで移動可能とすることを特徴とする撮像装置。【選択図】  図１
2012114768.tif 000002
【特許請求の範囲】
【請求項１】
カメラ本体部と、
上記カメラ本体部の外装部分に甲当てベルトの一端部を固定する固定部と、
上記固定部に一端部を固定された甲当てベルトと、
上記甲当てベルトの他端部に設けられた取付部と、
上記取付部が摺動可能に結合された結合部とを備え、
上記取付部は上記結合部に従って上記固定部の方向と上記固定部に反する方向へ移動可能であり、
上記甲当てベルトはリストストラップとなるように、上記取付部を上記固定部まで移動可能とすることを特徴とする撮像装置。
【発明の詳細な説明】
【技術分野】
【０００１】
本発明は、甲当てベルト付き撮像装置に関するものである。
【背景技術】
【０００２】
近年、撮像装置は低価格、高機能化とともに本体の小型化がされている。本体の小型化の中、持ちやすい形状の追求がなされている。以下に従来の甲当てベルト付き撮像装置について説明する。
【０００３】
図1６は従来の甲当てベルト付き撮像装置の一例としての斜視図である。
【０００４】
図1６において、１は使用者が把手可能なカメラ本体部である。２はズーム、ワイド切換えを行うためのズームボタンであり、３は映像や音声などの記録を開始したり、記録の停止をしたりする録画ボタンである。
【０００５】
１０は使用者の手の平で把手可能なグリップ部、１２は伸縮性のある材質で形成された甲当てベルトである。甲当てベルト１２の一端はグリップ部１０のカメラ本体部１におけるレンズ部側に配された固定部１３にビス１４で固定されている。甲当てベルト１２の他端はズームボタン２と録画ボタン３との近傍に配された変位部１１にビス１５で固定されている。甲当てベルト１２と固定部１３と変位部１１は各々を収納可能な凹部１８に収納可能となっている。凹部１８と連続して案内溝１７がズームボタン２に対して近傍あるいは離間する方向に形成されており、案内溝１７と凹部１８にはシャフト１６が配されている。変位部１１にはシャフト１６が貫通され、変位部１１はシャフト１６に沿って摺動可能となっている。凹部１８に連続して図1６中の下部には使用者の指が甲当てベルト１２を引き出すための案内凹部１９が形成されている。
【０００６】
以上のように構成された甲当てベルトについて、以下その動作について図1７〜１８を用いて説明する。
【０００７】
変位部１１は図1７に示す凹部１８に収納された１１Ａの位置からグリップ部１０より突出した１１Ｂの位置に矢印Ｃ方向に回動自在となっている。変位部１１は１１Ｂの位置からシャフト１６に沿って案内溝１７の方向である図1８に示すように移動されることにより、変位部１１と案内溝１７とを係合させることとなり変位部１１をグリップ部１０より突出した状態の位置を保持することが出来る。さらに、変位部１１を図1８に示す矢印Ｄ方向に移動させることにより図19に示す位置まで移動可能となる。
【０００８】
以上の説明から、従来例では使用者の手の大きさに対応して、甲当てベルト１２の位置を各操作ボタン２、３に対して近接及び離間する方向に移動可能になり、つまり各操作ボタン２、３に対する各指の配置を決定する変位部１１が移動可能となり、各操作ボタン２、３を各指が常に最適な位置で操作をすることができる。（特許文献１参照）
【先行技術文献】
【特許文献】
【０００９】
【特許文献１】特開平５−２８６２号公報
【発明の概要】
【発明が解決しようとする課題】
【００１０】
上記従来の構成では、甲当てベルト１２の一端が各操作ボタン２、３に対して操作上最適な位置に移動可能であるが、カメラ本体部１に位置規制されて固定されている甲当てベルト固定部１３と他端部１６の幅間隔は、ユーザーの手の大小に関係なく同間隔に位置規制されており、使用者の手の幅が甲当てベルト固定部１３と他端部１６の幅間隔よりも大きい場合、甲当てベルトは使用することができず、使用者の手の幅が甲当てベルト固定部１３と他端部１６の幅間隔よりも小さい場合、撮像装置を把持したまま移動時やポーズ状態時において容易に手の幅方向の位置がずれてしまい、カメラ本体部１を安定して保持、かつ操作ボタンを最適な位置で操作することができなかった。そして、甲当てベルト非使用時や、甲当てベルト使用時から非使用時に移る際、撮像装置の持ち替えなどから撮像装置を不用意に落下させる恐れがあった。
【課題を解決するための手段】
【００１１】
この問題を解決するために、本発明では、上記甲当てベルト取付部を上記カメラ本体部に対して移動可能にされるようにしたスライド手段を備え、甲当てベルト固定部と他端部の幅間隔を調節可能となるようにし、ユーザーの手の大小にかかわらず手の幅、厚み方向の動きを規制することにより、カメラ本体部を安定して保持でき、かつ操作ボタンを最適な位置で操作することのできる撮像装置を得る。また、上記移動手段は上記甲当てベルト固定部の近くに移動可能にされ、上記甲当てベルトは右手を挿入したまま容易にリストストラップとして使用できるようにした撮像装置である。
【発明の効果】
【００１２】
本発明によれば、ユーザーの手の大小にかかわらず、手の幅、厚み方向の動きを規制でき、甲当てベルトは撮像装置を持ち替えることなく簡単な調整でリストストラップとして使用することができる。
【図面の簡単な説明】
【００１３】
【図１】本発明のロック／解除機構部を有するスライド機構１０７を備えた甲当てベルト付装置の外観斜視図である。
【図２】本発明の本発明のロック／解除機構部を有するスライド機構１０７の要部説明図である。
【図３】本発明の甲当てベルト取付部１０３の要部説明図である。
【図４】本発明の本発明のロック／解除機構部を有するスライド機構１０７の要部説明図である。
【図５】本発明の甲当てベルト取付部１０３の要部説明図である。
【図６】本発明の本発明のロック／解除機構部を有するスライド機構１０７の要部説明図である。
【図７】本発明の甲当てベルト取付部１０３の要部説明図である。
【図８】本発明の甲当てベルト付き撮像装置に対する操作手順の説明を示す斜視図である。
【図９】本発明の甲当てベルト付き撮像装置の使用状態を示す斜視図である。
【図１０】従来の甲当てベルト付き撮像装置の使用例の斜視図である。
【図１１】リストストラップ使用状態を示す斜視図である。
【図１２】従来の甲当てベルト付き撮像装置の使用例の斜視図である。
【図１３】従来の甲当てベルト付き撮像装置の使用例の斜視図である。
【図１４】従来の甲当てベルト付き撮像装置の使用例の斜視図である。
【図１５】従来の甲当てベルト付き撮像装置の使用例の斜視図である。
【図１６】従来の甲当てベルト付き撮像装置の斜視図である。
【図１７】従来の甲当てベルト付き撮像装置の要部を示す断面図である。
【図１８】従来の甲当てベルト付き撮像装置の使用状態を示す斜視図である。
【図１９】従来の甲当てベルト付き撮像装置の使用状態を示す斜視図である。
【発明を実施するための形態】
【００１４】
以下本発明に係る甲当てベルト付き撮像装置の好ましい実施の形態について説明する。
［実施例］
図１は本発明によるロック／解除機構部を有するスライド機構１０７を備えた甲当てベルト付き撮像装置の外観斜視図である。図２〜図７は要部説明図である。符号１０１が撮像装置本体部であるビデオカメラ本体部、内部にカメラ機構部とビデオ機構部とが一体に内蔵されている。このビデオカメラ本体部１０１には主要部として前面部側に撮影レンズ１０２、背面部側の上方に映像や音声などの記録を開始したり、記録の停止をしたりする録画ボタン１０４が配置され、上面部側にズームボタン１０５が配置されている。尚、ビデオカメラ本体部１０１には開閉自在の液晶表示パネル１０６が外付けされている。１１２は甲当てベルトであり、甲当てベルト１１２の両端は甲当てベルト固定部１０９と甲当てベルト取付部１０３によりビデオカメラ本体部１０１に取付けられている。図２、３に示すように甲当てベルト取付部１０３には穴部２０５が設けられており、ビデオカメラ本体部１０１に設けられたシャフト部１０８が穴部２０５を貫通していることにより、甲当てベルト取付部１０３はシャフト部に沿って移動可能となっている。
【００１５】
また、図４、５に示すように甲当てベルト取付部１０３には、甲当てベルト１１２を取付ける甲当てベルト通し孔２０１、甲当てベルト取付部１０３のスライド移動を固定するロック／解除機構部のロック解除ツマミ２０２、ロック解除ツマミ２０２をE方向と反する方向へ付勢しているスプリング２０３、ロック解除ツマミ２０２とスプリング２０３とを係合するための凸部２０２ｂが設けられている。
【００１６】
以上のように構成された本発明の甲当てベルト付き撮像装置について、ロック／解除機構部を有するスライド機構１０７の動作について説明する。
【００１７】
通常、スプリング２０３によって図４、５のようにシャフト部１０８のシャフト凹部１０８ａと、甲当てベルト取付部１０３のロック解除ツマミ２０２の先端部２０２ａとが係合している。そのため、甲当てベルト取付部１０３はシャフト部に沿って移動不可能である。甲当てベルト締付け調節時、もしくはロック解除時には、図４、５の状態から図６、７のようにロック解除ツマミ２０２を矢印E方向へスライドさせることにより、シャフト凹部１０８ａとロック解除ツマミ２０２の先端部２０２ａとの係合が解除し、甲当てベルト部１０３は図５の実線から破線に示すようにシャフト部に沿ってＦ方向と、Ｆ方向と反する方向に移動可能となる。ロック解除時には、図１０の状態から甲当てベルト取付部１０３を図５の実線に示す位置、図１１の状態にすることにより、手首にかけ撮像装置の持ち運びや保持するためのリストストラップとして利用することができる。
【００１８】
次に、以上のように構成した甲当てベルト付き撮像装置の操作として、保持する手順図８〜図９を参照して説明する。
【００１９】
まず、甲当てベルト取付部１０３が不用意に移動しないために設けられたロック／解除機構部のロック解除ツマミ２０２を左手の親指でE方向へ引くことによりロック解除状態とし、図８に示すように、ビデオカメラ本体部１０１と甲当てベルト１１２との間に右手の親指以外の４指を挿入し、録画ボタン１０４とズームボタン１０５の各々に親指と人差指が届くようにした上で、ロック解除ツマミ２０２を左手の親指で押した状態のまま、甲当てベルト１１２の端部を矢印G方向へ引っ張る。そして、右手の甲と右手の横幅を甲当てベルト１１２で締め付けながら、ロック解除ツマミ２０２を離し、矢印H方向に力を加え、面ファスナー４０２を接着させて、使用者の右手をグリップ本体１０１に固定することでビデオカメラ本体部１０１と手とが一体化し安定して保持することができる。その状態を図９に示す。
【００２０】
以上の操作によって、使用者の右手はビデオカメラ本体部１０１に固定され、使用者は被写体を見ながら、録画ボタン１０４とズームボタン１０５の各ボタンを自由に操作できることとなる。
【００２１】
本発明によれば、ロック／解除機構部を有するスライド機構１０７を備え、上述した一連の手順操作を行うことで、図１２に示すように使用者の手の幅が甲当てベルト固定部と他端部の幅間隔よりも大きい場合であっても、図１３に示すようにスライド機構１０７を手の幅に合わせることによりビデオカメラ本体部１０１を安定して保持することができる。また、図１４に示すように使用者の手の幅が甲当てベルト固定部と他端部の幅間隔よりも小さい場合であっても、図１５に示すようにスライド機構１０７を手の幅に合わせることによりビデオカメラ本体部１０１を安定して保持することができる。
【００２２】
さらに、上記甲当てベルト１１２は非使用状態においては、固定部近傍に移動させることにより、手首にかけ撮像装置の持ち運びや保持するためのリストストラップとして利用することができる。甲当てベルト１１２使用時から非使用時に移る際には、甲当てベルト１１２に右手を挿入したまま持ち替えることなく容易にリストストラップとして使用できることから撮像装置の落下防止を図かれる。
【００２３】
尚、本発明は、上述しかつ図面に示した実施の形態に限定するものでなく、その要旨を逸脱しない範囲内で種々の変形実施が可能となる。
【００２４】
さらに、本例では、ロック／解除機構部を有するスライド機構１０７をビデオカメラ装置に適用した場合について説明したが、その他、デジタルカメラ装置あるいはスチルカメラ装置のグリップ機構にも広く適用可能である。
【００２５】
以上説明したように本発明では、上記甲当てベルト取付部を上記カメラ本体部に対して移動可能にされるようにしたスライド手段を備え、甲当てベルト固定部と他端部の幅間隔を調節可能となるようにし、ユーザーの手の大小にかかわらず手の幅、厚み方向の動きを規制することにより、カメラ本体部を安定して保持でき、かつ操作ボタンを最適な位置で操作することのできる撮像装置を得る。また、上記移動手段は上記甲当てベルト固定部の近傍に移動可能にされ、上記甲当てベルトは手首にかけて撮像装置を保持できリストストラップを兼ねるようにした撮像装置であり、甲当てベルト使用時から非使用時に移る際には、甲当てベルトに右手を挿入したまま持ち替えることなく容易にリストストラップとして使用できることから撮像装置の落下を防止できる。
【符号の説明】
【００２６】
１        カメラ本体部
２        ズームボタン
３        録画ボタン
１０      グリップ部
１１      変位部
１２      甲当てベルト
１３      固定部
１６      シャフト
１７      案内溝
１８      凹部
１９      案内凹部
１０１    ビデオカメラ本体部
１０２    レンズ
１０３    甲当てベルト取付部
１０４    録画ボタン
１０５    ズームボタン
１０６    液晶表示パネル
１０７    ロック／解除機構部を有するスライド機構
１０８    シャフト部
１０８ａ  シャフト凹部
１０９    甲当てベルト固定部
１１２    ベルト部材
２０１    甲当てベルト通し孔
２０２    ロック解除ツマミ
２０２ａ  先端部
２０２ｂ  凸部
２０３    スプリング
２０５    穴部
４０２    面ファスナー
【図１】
2012114768.tif 000003
【図２】
2012114768.tif 000004
【図３】
2012114768.tif 000005
【図４】
2012114768.tif 000006
【図５】
2012114768.tif 000007
【図６】
2012114768.tif 000008
【図７】
2012114768.tif 000009
【図８】
2012114768.tif 000010
【図９】
2012114768.tif 000011
【図１０】
2012114768.tif 000012
【図１１】
2012114768.tif 000013
【図１２】
2012114768.tif 000014
【図１３】
2012114768.tif 000015
【図１４】
2012114768.tif 000016
【図１５】
2012114768.tif 000017
【図１６】
2012114768.tif 000018
【図１７】
2012114768.tif 000019
【図１８】
2012114768.tif 000020
【図１９】
2012114768.tif 000021